(57)【要約】【課題】本発明は、情報記録媒体が記録した情報記録再生装置とは異なる情報記録再生装置であっても、容易に再生ができる再生互換性が高く、しかも記録のときのパフォーマンス高い情報記録再生装置および情報記録再生装置の記録方法を提供することを目的とする。【解決手段】データ領域とデータ領域内の欠陥を交替する交替領域を有する情報記録媒体に情報を記録及び再生する情報記録再生手段と、データ領域の欠陥を検出する欠陥検出手段と、ホストコンピュータからのフォーマットコマンドおよび記録コマンドを入力するコマンド入力手段とを具備し、入力したコマンドが記録コマンドの入力のときとフォーマットコマンドの入力ときとで、欠陥を検出する欠陥検出レベルを異ならせる構成とした。【選択図】図１
2007213735.tif 000002
【特許請求の範囲】
【請求項１】
データ領域と前記データ領域内の欠陥を交替する交替領域とを有する情報記録媒体に情報を記録及び再生する情報記録再生手段と、
前記データ領域の欠陥を検出する欠陥検出手段と、
ホストコンピュータからのフォーマットコマンドおよび記録コマンドを入力するコマンド入力手段と、を具備し、
前記入力したコマンドが記録コマンドの入力のときとフォーマットコマンドの入力ときとで、前記欠陥を検出する欠陥検出レベルを異ならせたことを特徴とする情報記録再生装置。
【請求項２】
前記ホストコンピュータからのフォーマットコマンドおよび記録コマンドは、ＡＴＡＰＩコマンドであることを特徴とする請求項１記載の情報記録再生装置。
【請求項３】
前記欠陥を検出する欠陥検出レベルは、フォーマットコマンドの入力のときの検出レベルが記録コマンドの入力のときの検出レベルより高く設定したことを特徴とする請求項１記載の情報記録再生装置。
【請求項４】
前記欠陥検出手段は、前記交替領域の欠陥検出をデータ領域の欠陥検出より先行して行うことを特徴とする請求項１記載の情報記録再生装置。
【請求項５】
データ領域と前記データ領域内の欠陥を交替する交替領域を有する情報記録媒体に情報を記録するとき、
ホストコンピュータからフォーマットまたはデータ記録にかかわるコマンドを受信し、
前記受信したコマンドがフォーマットに対するコマンドのときは欠陥検出レベルを所定より高くし、フォーマット記録した領域欠陥検出を行い
データ記録にかかわるコマンドのときは検出レベルを前記所定値とし、記録したデータ領域の欠陥検出を行うことを特徴とする情報記録再生装置の記録方法。
【請求項６】
データ領域と前記データ領域内の欠陥を交替する交替領域を有する情報記録媒体に情報を記録するとき、
ホストコンピュータからフォーマットまたはデータ記録にかかわるコマンドを受信し、
前記受信したコマンドがフォーマットに対するコマンドのときは欠陥検出レベルを所定より高くし、
交替領域を先にフォーマット記録し、交替領域のあとデータ領域のフォーマット記録を実施し、
前記フォーマット記録した領域欠陥検出を行い、
前記受信したコマンドが、データ記録にかかわるコマンドのときは検出レベルを前記所定値とし、前記フォーマット記録を停止し、データ記録を行い、記録したデータ領域の欠陥検出を行うことを特徴とする情報記録再生装置の記録方法。
【請求項７】
データ領域と前記データ領域内の欠陥を交替する交替領域を有する情報記録媒体にバックグランドでフォーマットを記録しているとき、
ホストコンピュータからデータ記録または再生にかかわるコマンドを受信し、
前記コマンドが記録または再生にかかわるコマンドであれば、バックグランドでのフォーマットを中断し、
前記受信したコマンドが記録にかかわるコマンドであると判断したら、欠陥検出レベルを所定より低くし、情報を記録することを特徴とする情報記録再生装置の記録方法。
【発明の詳細な説明】
【技術分野】
【０００１】
本発明は、情報記録媒体などの情報記録媒体に情報を記録および再生するのに、記録領域の、その記録領域に対してデータが正しく記録再生できない欠陥（以下欠陥）を検出してその欠陥を管理し欠陥交替管理を行う機能を備えた情報記録再生装置に関する。
【背景技術】
【０００２】
記録や再生ができる情報記録媒体としては、音楽用に開発されて近年ではデータ用にも幅広く用いられているＣＤや、ディジタルビデオ用に開発され急激に普及し始めたＤＶＤや、さらにはハイビジョン等のより高品質なビデオ用に開発が進められている次世代情報記録媒体などがある。
【０００３】
情報記録媒体の記録に関する規格にマウントレイニア（Ｍｔ．ｒａｉｎｉｅｒ）と呼ばれる規格がある。この規格は、情報記録媒体をパケットライトで取り扱う規格であり、データをパケットという小さい塊として分割して記録していく規格である。これらの規格に適合する情報記録媒体としては、例えばＣＤ−ＲＷではＣＤ−ＭＲＷ，ＤＶＤ＋ＲＷではＤＶＤ＋ＭＲＷと呼ばれている。
【０００４】
このマウウントレイニア規格では、欠陥管理機能を有しており、情報記録媒体にデータを記録する際に、データ領域に欠陥領域があったとき、対応する交替領域に記録する。
【０００５】
こうした欠陥領域は、製造時にすでにユーザが記録可能な記録領域に欠陥があったり、その後の使用により記録領域に欠陥が生じたりする。ディスク上に欠陥領域が多少存在しても、データの信頼性を確保するために、従来から欠陥領域に対して別の交替領域に代替させる手法、即ち欠陥管理によって記録再生が行われる。
【０００６】
欠陥領域と判定される閾値は、媒体の経時劣化や再生装置間の性能バラツキや温度変化に伴う再生条件の変動を考慮して、再生不能なレベルから一定以上のマージンが有るか無いかで行われる。
【０００７】
情報記録媒体の初期に有する欠陥領域は、情報記録媒体に対して初期化処理（以下フォーマットと呼ぶ）によって行われる。このフォーマットは、記録領域のセクタ単位で情報（ダミーデータ）を記録し、その記録した情報を再生してエラーレート及びエラー訂正ＮＧ個数などのリードエラー検出により求め検出している。
【０００８】
情報記録媒体をパケットライトで使用する前には、情報記録媒体を予めフォーマットする必要があり、このフォーマットに要する作業時間を減らすため、ＤＶＤ＋ＭＲＷでは、バックグランドフォーマットで対応し、情報記録媒体の必要最小限の領域だけを最初のフォーマットしたら以降はバックグランドでユーザとは無関係にフォーマットするようにして長時間のフォーマットの待ち時間がなくても記録再生ができるようになっている。
【０００９】
図４は、従来の情報記録再生装置記録に係わる交替処理のフローチャートである。
【００１０】
図４に示すように、情報記録媒体がマウントされ、パケットライトでの交替管理処理が開始されると（Ｓ４０１）、情報記録媒体１１が全領域でフォーマットが完了しているかどうか判定され（Ｓ４０２）、フォーマットが完了していなかったら、ホストコンピュータ１１１からの記録または再生要求があるかどうか判定し（Ｓ４０３）、記録または再生要求があったら、フォーマットを中断し（Ｓ４０４）、ホストコンピュータからの要求コマンドの解析結果記録要求であれば（Ｓ４０５）、データを記録し（Ｓ４０６）、記録したデータをベリファイし（Ｓ４０７）、ベリファイした結果欠陥セクタがあるかどうか確認し（Ｓ４０８）、欠陥セクタがあれば欠陥セクタ情報を欠陥管理領域に登録し（Ｓ４０９）、記録が完了したかどうか判定し（Ｓ４１０）、記録完了したら、情報記録媒体を排出するかどうかを判別し（Ｓ４１１）、記録が完了しないか情報記録媒体を排出しなければＳ４０２へ戻る。記録完了し、情報記録媒体を排出する場合には、排出処理を実行し（Ｓ４１２）、処理を終了する（Ｓ４１３）。
【００１１】
フォーマットが完了しておらず、ホストコンピュータからの記録または再生の要求がなければ（Ｓ４０３）、バックグランドフォーマットを実行する（Ｓ４１６）。
【００１２】
記録再生要求で再生要求であれば（Ｓ４０５）、データを再生し（Ｓ４１４）、再生動作が終了したかどうか判定し（Ｓ４１５）、再生完了し、情報記録媒体を排出する場合には（Ｓ４１１）、排出処理を実行し（Ｓ４１２）、処理を終了する（Ｓ４１３）。
【００１３】
全ての記録領域にフォーマットが完了したら（Ｓ４０２）、ホストコンピュータ１１１からの記録または再生要求があるかどうか判定し（Ｓ４１７）、記録または再生要求があったら、ホストコンピュータからの要求コマンドの解析結果記録要求であれば（Ｓ４１８）、データを記録し（Ｓ４１９）、記録したデータをベリファイし（Ｓ４２０）、ベリファイした結果欠陥セクタがあるかどうか確認し（Ｓ４２１）、欠陥セクタがあれば欠陥セクタ情報を欠陥管理領域に登録し（Ｓ４２２）、動作が完了したかどうか判定し（Ｓ４２３）、記録が完了したら情報記録媒体を排出するかどうか判定し（Ｓ４２４）、排出する場合、排出処理を実行し（Ｓ４２５）、処理を終了する（Ｓ４２６）。記録処理が完了していないか、情報記録媒体の排出処理をしない場合には、完了していなければＳ４１７へ戻る。記録または再生要求で再生の要求の場合、データを再生し（Ｓ４２７）、再生動作を終了するかどうか判定し（Ｓ４２８）、続ける場合（Ｓ４１７）に戻る。再生処理が終了したら、情報記録媒体を排出するかどうか判定し（Ｓ４２４）、排出する場合、排出処理を実行し（Ｓ４２５）、処理を終了する（Ｓ４２６）。
【００１４】
情報記録媒体へのデータの記録及び再生を確実に行えるようにした文献として（特許文献１）がある。
【特許文献１】特開２００４−２８８３３１号公報
【発明の開示】
【発明が解決しようとする課題】
【００１５】
しかしながら、従来の情報記録再生装置では、マウントレイニアなどのパケットライト記録方式において、情報記録媒体の欠陥を検出する欠陥検出レベルは情報記録再生装置のモデルで異ることがあり、パケットライト方式で記録した情報記録媒体の情報を記録した情報記録再生装置とは別の情報記録再生装置で読み出すときに、読出し処理ができない問題が発生することがあった。また、マウントレイニアなどのパケットライト方式で記録した情報記録媒体の情報を別の情報記録再生装置でも読取ることができるように欠陥検出レベルを高くすると、欠陥検出に多くの時間を必要とするため、データ記録のときのパフォーマンスが低下するという課題があった。
【００１６】
本発明では、このような問題を解決するためになされたものであり、情報記録媒体が記録した情報記録再生装置とは異なる情報記録再生装置であっても、情報記録媒体の情報を再生できる再生互換性が高く、しかも記録のときのパフォーマンス落とすことがない情報記録再生装置および情報記録再生装置の記録方法を提供することを目的とする。
【課題を解決するための手段】
【００１７】
かかる問題を解決するため、本発明の情報記録再生装置は、データ領域とデータ領域内の欠陥を交替する交替領域とを有する情報記録媒体に情報を記録及び再生する情報記録再生手段と、データ領域の欠陥を検出する欠陥検出手段と、ホストコンピュータからのフォーマットコマンドおよび記録コマンドを入力するコマンド入力手段と、を具備し、入力したコマンドが記録コマンドの入力のときとフォーマットコマンドの入力ときとで、欠陥を検出する欠陥検出レベルを異ならせた。これによりフォーマット記録時に欠陥検出レベルを高めることで、記録の記録時間が増大することがなく、他の情報記録再生装置でも再生が可能となり、再生互換を高めることができるようになる。
【発明の効果】
【００１８】
本発明は、マウントレイニアなどのパケットライト方式の情報記録媒体にデータ記録を行うときにデータの記録のときよりフォーマットのときに欠陥検出を厳しくするので、フォーマットのときは記録または再生を行っていないときにバックグランドで欠陥検出を厳しくし記録した情報記録装置とは別の情報記録再生装置においても再生互換性が高まるとともに、データ記録のときは通常の検出レベルとすることで、データ記録のときの記録およびベリファイに要する時間は、従来と同等となりパフォーマンスを損なわないで他の情報記録再生装置でも再生互換を高めた情報記録再生装置および情報記録再生装置の記録方法を提供できる。
【発明を実施するための最良の形態】
【００１９】
請求項１の発明は、データ領域とデータ領域内の欠陥を交替する交替領域とを有する情報記録媒体に情報を記録及び再生する情報記録再生手段と、データ領域の欠陥を検出する欠陥検出手段と、ホストコンピュータからのフォーマットコマンドおよび記録コマンドを入力するコマンド入力手段と、を具備し、入力したコマンドが記録コマンドの入力のときとフォーマットコマンドの入力ときとで、欠陥を検出する欠陥検出レベルを異ならせた。これによりフォーマット記録時に欠陥検出レベルを高めることで、記録のパフォーマンスを損なわないで互換に関する検出向上を図ることができるようになり、再生互換を高めることができるようになる。
【００２０】
請求項２記載の発明は、ホストコンピュータからのフォーマットコマンドおよび記録コマンドは、ＡＴＡＰＩコマンドであることを特徴とする請求項１記載の情報記録再生装置であり、コマンドをもとに検出レベルの切り替えが容易にできるようになる。
【００２１】
請求項３記載の発明は、欠陥を検出する欠陥検出レベルは、フォーマットコマンドの入力のときの検出レベルが記録コマンドの入力のときの検出レベルより高く設定したことを特徴とする請求項１記載の情報記録再生装置であり、記録のときの欠陥検出よりフォーマットのときの検出を厳しくすることで、記録のパフォーマンスを維持しつつ欠陥検出レベルを高めることができるようになるので、情報記録媒体が記録した情報記録再生装置とは異なる情報記録再生装置であっても、容易に再生ができる再生互換性の高い情報記録再生装置を提供することができるようになる。
【００２２】
請求項４記載の発明は、欠陥検出手段は、交替領域の欠陥検出をデータ領域の欠陥検出より先行して行うことを特徴とする請求項１記載の情報記録再生装置であり、データ記録領域の信頼性確認より先に交替領域の信頼性を確認することで２次交替を発生することがなくなるので、交替に要する時間も短縮され、記録のパフォーマンスを維持しつつ欠陥検出レベルを高めることができるようになる。
【００２３】
請求項５記載の発明は、データ領域とデータ領域内の欠陥を交替する交替領域を有する情報記録媒体に情報を記録するとき、ホストコンピュータからフォーマットまたはデータ記録にかかわるコマンドを受信し、受信したコマンドがフォーマットに対するコマンドのときは欠陥検出レベルを所定より高くし、フォーマット記録した領域欠陥検出を行いデータ記録にかかわるコマンドのときは検出レベルを所定値とし、記録したデータ領域の欠陥検出を行うことを特徴とする情報記録再生装置の記録方法であり、この方法によれば、フォーマット記録時に欠陥検出レベルを高めることで、記録のパフォーマンスを損なわないで互換に関する検出向上を図ることができるようになり、再生互換を高めることができるようになる。
【００２４】
請求項６記載の発明は、データ領域とデータ領域内の欠陥を交替する交替領域を有する情報記録媒体に情報を記録するとき、ホストコンピュータからフォーマットまたはデータ記録にかかわるコマンドを受信し、受信したコマンドがフォーマットに対するコマンドのときは欠陥検出レベルを所定より高くし、交替領域を先にフォーマット記録し、交替領域のあとデータ領域のフォーマット記録を実施し、フォーマット記録した領域欠陥検出を行い、受信したコマンドが、データ記録にかかわるコマンドのときは検出レベルを所定値とし、フォーマット記録を停止し、データ記録を行い、記録したデータ領域の欠陥検出を行うことを特徴とする情報記録再生装置の記録方法であり、データ記録領域の信頼性確認より先に交替領域の信頼性を確認することで２次交替を発生することがなくなるので、交替に要する時間も短縮され、記録のパフォーマンスを維持しつつ欠陥検出レベルを高めることができるようになる。
【００２５】
請求項７記載の発明は、データ領域とデータ領域内の欠陥を交替する交替領域を有する情報記録媒体にバックグランドでフォーマットを記録しているとき、ホストコンピュータからデータ記録または再生にかかわるコマンドを受信し、コマンドが記録または再生にかかわるコマンドであれば、バックグランドでのフォーマットを中断し、受信したコマンドが記録にかかわるコマンドであると判断したら、欠陥検出レベルを所定より低くし、情報を記録することを特徴とする情報記録再生装置の記録方法であり、データ記録のときに欠陥検出レベルを低くすることで、記録時のパフォーマンスを落とすことがなくなる。
【００２６】
以下本発明の実施の形態について詳細に説明する。
【００２７】
（実施の形態）
以下、本発明の実施の形態について、説明する。
【００２８】
図１は、本発明の実施の形態に係わる光ディスク装置のブロック図である。
【００２９】
図１に示すように、光ディスク装置１は、ピックアップモジュール１２、スピンドルモータ１３、フィードモータ１４、サーボモジュール１５、信号制御部１６、ＣＰＵ１７、メインメモリ１８、バッファメモリ１９、インターフェース１１０から構成されている。
【００３０】
そして、パーソナルコンピュータ１１１に接続され、光ディスク１１に記録されたデータをパーソナルコンピュータ１１１に出力したり、パーソナルコンピュータ１１１のデータを光ディスク１１出力したりできる構成としている。
【００３１】
光ピックアップ手段であるピックアップモジュール１２は、レーザ発光素子（図示せず）を有し、光ディスク１１へのデータの記録、再生時にレーザ光を照射し、記録および再生を行う。スピンドルモータ１３は、光ディスク１１のマウントのときやデータの記録および再生時に光ディスク１１の回転を行う。
【００３２】
光ピックアップの移動手段であるフィードモータ１４は、光ピックアップモジュール１２をスピンドルモータ１３に近づいたり離れたり移動させる。サーボモジュール１５は、フィードモータ１４の移動制御およびスピンドルモータ１３の回転速度を制御する回転速度制御手段である。パーソナルコンピュータ１１１と光ディスク装置１の接続手段であるインターフェース１１０は、パーソナルコンピュータ１１１とのデータ信号の送信および受信を行う。ＣＰＵ１７は記憶手段であるメインメモリ１８を備え、メインメモリ１８に記録されたプログラム（ファームウェア）により、サーボモジュール１５の制御と信号処理及びパーソナルコンピュータ１１１とのインターフェース１１０の制御を行ない光ディスク１１の情報再生や、光ディスク１１への情報記録を行う。
【００３３】
パーソナルコンピュータ１１１と光ディスク装置１とは、インターフェース１１０で接続されており、パーソナルコンピュータ１１１からの制御信号たとえばＡＴＡＰＩパケットコマンドを基に光ディスク装置１はパーソナルコンピュータ１１１に応答し、光ディスク装置１の情報を読み込んだり、光ディスク装置１に情報を記録したりする。パーソナルコンピュータ１１１と光ディスク装置１はケーブル１１２で接続されている。また、前記インターフェース１１０は、ＳＣＳＩインターフェースや、ＩＤＥインターフェース等である。
【００３４】
パーソナルコンピュータ１１１からＡＴＡＰＩパケットコマンドを発行し、ＡＴＡＰＩパケットコマンドに続いてデータを光ディスク装置１に転送することができる。
【００３５】
従って、ホストコンピュータ１１１から光ディスク装置１にＡＴＡＰＩパケットインターフェースのフォーマットコマンドおよび記録コマンド（ＷＲＩＴＥコマンド）でを受信すると光ディスク１１に情報を記録する。
【００３６】
図２は、本発明に係わる実施の形態における光ディスクの記憶領域の構成を説明する図である。なお、本発明の実施の形態では、ＤＶＤ＋ＭＲＷを例にとって説明する。
【００３７】
図２に示すように、光ディスク１１の記録領域は、内周側から外周側に向かってリードイン領域、データ領域、リードアウト領域から構成されている。データ領域には、欠陥管理領域１、交替領域１、ユーザ領域、交替領域２、欠陥管理領域２、交替領域１、交替領域２は、欠陥が検出されたデータ領域と交替するスペア領域である。また欠陥管理領域１および欠陥管理領域２は、欠陥領域および交替領域の欠陥情報を管理するために設けられている。
【００３８】
光ディスク１１にデータを記録するには、光ディスク１１を予めフォーマットする必要があり、このフォーマットに要する作業時間を減らすため、ＤＶＤ＋ＭＲＷでは、バックグランドフォーマットで対応し、情報記録媒体の必要最小限の領域だけを最初のフォーマットしたら以降はバックグランドでユーザとは無関係にフォーマットするようにして長時間のフォーマットの待ち時間がなくても記録再生ができるようにしている。
【００３９】
ここでフォーマットとは、サーティファイとベリファイの処理作業で行う。サーティファイで、欠陥管理領域に記録した欠陥管理情報を取得し、登録されたセクタにアクセスしないようにする。また、ベリファイでは、記録領域に書込んだデータが正確かどうかをチェックする処理作業であり、このベリファイによる処理作業でエラーが所定より大きいと欠陥セクタと判断して、交替領域に交替する。また、このベリファイでの判定基準としては、記録したデータを再生して再生したデータのブロックエラーレートを測定する等の方法で行っている。なお、エラーの訂正回数でもかまわない。
【００４０】
光ディスク装置１の個体差、や異装置などで、再生互換性を確保するためには、ベリファイを厳しくすることで再生互換性ができるが、ベリファイを厳しくすることで、記録のパフォーマンスが低下するので、フォーマットのときとデータ記録のときとでベリファイの判定レベルを変えている。
【００４１】
この判定レベルは、本発明の実施の形態ではブロックエラーレートまたはエラー訂正回数などの閾値を越えたら、欠陥と判定しているが、閾値は同一で、ベリファイの回数を変えてもよい。
【００４２】
光ディスク１１をパケットで使用するには、ホストコンピュータ１１１で動作実行されるアプリケーションソフトで、パケットライトソフトが起動する。
【００４３】
パケットライトソフトでは、フォーマット処理をされていない光ディスク１１に対して記録媒体全体をフォーマットする目的で、インターフェース１１０を会してＡＴＡＰＩパケットコマンドのフォーマットコマンドを送る。
【００４４】
記録開始に必要な部分を始めにフォーマットし、記録可能な状態となり、ホストコンピュータから記録または再生のコマンドが送られてくるまでは、すなわち光ディスク装置
１を使用していないうちにフォーマットを進めていくバックグラウンドフォーマットを行う。
【００４５】
光ディスク装置１は記録または再生のコマンドを受信したら、フォーマット処理を一時停止して、記録または再生を実行し、記録または再生を終了して、使用しない状態になったら、バックグランドフォーマットを続行し、全ての光ディスク１１の記録領域をフォーマットを行う。
【００４６】
なお、ユーザによりバックグランドフォーマットが終了していない状態で光ディスク１１を排出する指示がでたら、再度光ディスクがマウントされたときに、バックグランドフォーマットが続行できるように排出処理を行う。
【００４７】
また、全ての領域のフォーマットが完了した光ディスク１１において、ユーザの要求で再度フォーマットをすることもでき、パケットライトソフトノフォーマットコマンドを実行することで、再フォーマットをすることができる。
【００４８】
図３は、本発明の実施の形態に係わる欠陥領域の検査手順のフローチャートである。
【００４９】
図３に示すように、光ディスク１１が光ディスク装置１にマウントされ、初期動作が完了し、フォーマットが開始されると（Ｓ３０１）、先ず交替領域がベリファイされたかどうか判定し（Ｓ３０２）、ベリファイがされていなかったら、欠陥検出レベルを高く設定し（Ｓ３０３）、交替領域をベリファイし（Ｓ３０４）、交替領域に欠陥セクタがあるかどうか判定し（Ｓ３０５）、欠陥セクタがあれば欠陥管理領域に欠陥セクタ情報を登録する（Ｓ３０６）。交替領域のベリファイが終わっていたり、欠陥検出の結果欠陥セクタがなかったり、欠陥管理領域に情報を登録すたら、全記憶領域のベリファイが完了したかどうかを判定し（Ｓ３０７）、完了していなかったら、ホストコンピュータ１１１からＡＴＡＰＩパケットコマンド受信した結果、記録または再生の要求でありかどうか判定し（Ｓ３０８）、記録または再生の要求であればフォーマットを中断し（Ｓ３０９）、データを記録する要求であれば（Ｓ３１０）、データを記録し（Ｓ３１１）、欠陥検出レベルを標準に設定し（Ｓ３１２）、ベリファイを実行し（Ｓ３１３）、ベリファイの結果、欠陥セクタがあるかどうか判定し（Ｓ３１４）、欠陥セクタがあれば、欠陥管理領域に欠陥セクタ情報を登録し（Ｓ３１５）、記録動作を完了するかどうか判定し（Ｓ３１６）、記録が終了したら、光ディスクを灰シィツするかどうか判定し（Ｓ３１７）、排出する場合には、排出処理を実行し（Ｓ３１８）、処理を終了する。光ディスクの排出をしないか記録動作を続ける場合にはＳ３０２に戻る。
【００５０】
ホストコンピュータ１１１からの要求が再生要求であれば（Ｓ３１０）、データを再生し（Ｓ３１９）、再生を終了するかどうか判定し（Ｓ３２０）、再生動作を続けるときはＳ３０２に戻る。再生動作が終了したら、光ディスクを排出するかどうか判定し（Ｓ３１７）、排出する場合には、排出処理を実行し（Ｓ３１８）、処理を終了する。光ディスクの排出をしないか再生動作を続ける場合にはＳ３０２に戻る。
【００５１】
全記録領域のフォーマットが完了していなく、またホストコンピュータ１１１からの記録または再生要求もなければ、欠陥検出レベルを高に設定して（Ｓ３２１）、バックグランドフォーマットを実行する（Ｓ３２２）。
【００５２】
全記録領域のベリファイが完了したら、ホストコンピュータ１１１からＡＴＡＰＩパケットコマンド受信した結果、記録または再生の要求でありかどうか判定し（Ｓ３２３）、データを記録する要求であれば（Ｓ３２４）、データを記録し（Ｓ３２５）、欠陥検出レベルを標準に設定し（Ｓ３２６）、ベリファイを実行し（Ｓ３２７）、ベリファイの結果、欠陥セクタがあるかどうか判定し（Ｓ３２８）、欠陥セクタがあれば、欠陥管理領域に欠陥セクタ情報を登録し（Ｓ３２９）、記録動作を完了するかどうか判定し（Ｓ３３０）、記録完了であれば、光ディスクを排出するかどうか判定し（Ｓ３３１）、光ディスクを排出する場合には排出処理を行い（Ｓ３３２）処理を終了する。光ディスクの排出処理をしないか、記録動作を続ける場合にはＳ３２３に戻る。
【００５３】
ホストコンピュータの要求が再生のときは（Ｓ３２４）、データを再生し（Ｓ３３４）、再生の動作を終了するかどうかを判定し（Ｓ３３５）、再生を続ける場合にはＳ３２３に戻る。再生が終了したら（Ｓ３３５）、光ディスクを排出するかどうか判定し（Ｓ３３１）、排出する場合には、排出処理を行い（Ｓ３３２）、処理を終了する。排出しない場合には、Ｓ３２３に戻る。
【００５４】
このように、記録のときとフォーマットのときとで欠陥検出レベルをかえることで、フォーマットによる欠陥の信頼性が向上し、他の光ディスク装置でも読取れる再生互換性が高まるとともに、記録のときには標準の検出レベルとすることで、記録の際に記録パフォーマンスを落とすことなく記録できるようになる。
【産業上の利用可能性】
【００５５】
本発明による情報記録再生方法は、光ディスクや光磁気ディスクなどの情報記録媒体の欠陥を検出してその欠陥を管理し、欠陥の交替を行う機能を備えた特に、パケットライト方式の記録方式での情報記録再生装置に利用できる。
【図面の簡単な説明】
【００５６】
【図１】本発明の実施の形態に係わる光ディスク装置のブロック図
【図２】本発明に係わる実施の形態における光ディスクの記憶領域の構成を説明する図
【図３】本発明の実施の形態に係わる欠陥領域の検査手順のフローチャート
【図４】従来の情報記録再生装置記録に係わる交替処理のフローチャート
【符号の説明】
【００５７】
１    光ディスク装置
１１    光ディスク
１２    ピックアッップモジュール
１３    スピンドルモータ
１４    フィードモータ
１５    サーボモジュール
１６    信号制御部
１７    ＣＰＵ
１８    メインメモリ
１９    バッファメモリ
１１０    インターフェース
１１１    ホストコンピュータ
【図１】
2007213735.tif 000003
【図２】
2007213735.tif 000004
【図３】
2007213735.tif 000005
【図４】
2007213735.tif 000006